(57)【要約】【課題】本発明の目的は、使いさすさを維持しつつ小型化を図った電子機器を得ることにある。【解決手段】電子機器１は、上壁部１１と側壁部１２ｂとを有する筐体６と、側壁部１２ｂに設けられる機能部２１と、筐体６の側壁部１２ｂに支持されるとともに側壁部１２ｂに対向する第１の姿勢と上壁部１１に対して起立する第２の姿勢との間で回動可能なアンテナ５１とを具備する。アンテナ５１は、側壁部１２ｂに回動可能に支持される支持部６１と、第１の姿勢にあるとき、支持部６１から側壁部１２ｂの縁部を向いて延びる第１の部分６２と、第１の部分６２の端部から機能部２１と側壁部１２ｂの縁部との間の領域に沿って延びる第２の部分６３とを有する。【選択図】      図２
2008027098.tif 000002
【特許請求の範囲】
【請求項１】
上壁部と側壁部とを有する筐体と、
上記筐体の側壁部に設けられる機能部と、
上記筐体の側壁部に支持されるとともに、上記側壁部に対向する第１の姿勢と上記上壁部に対して起立する第２の姿勢との間で回動可能なアンテナであって、上記側壁部に回動可能に支持される支持部と、上記第１の姿勢にあるとき、上記支持部から上記側壁部の縁部を向いて延びる第１の部分と、上記第１の部分の端部から上記機能部と上記側壁部の縁部との間の領域に沿って延びる第２の部分とを有するアンテナと、
を具備することを特徴とする電子機器。
【請求項２】
請求項１に記載の電子機器において、
上記アンテナの第２の部分に設けられ、上記アンテナが上記第１の姿勢にあるとき上記筐体の上壁部に当接する張出部を備えることを特徴とする電子機器。
【請求項３】
請求項２に記載の電子機器において、
上記アンテナの張出部は、上記アンテナが上記第１の姿勢にあるとき上記第２の部分の上端部となる部位から張り出していることを特徴とする電子機器。
【請求項４】
請求項３に記載の電子機器において、
上記アンテナの張出部は、上記第２の部分の厚さより大きく張り出していることを特徴とする電子機器。
【請求項５】
請求項４に記載の電子機器において、
上記筐体の端部に支持される表示ユニットと、
上記筐体の上壁部に載置されるキーボードと、を備え、
上記アンテナが上記第２の姿勢にあるとき、上記アンテナの第１の部分が上記支持部から上記表示ユニットを向いて延びるとともに、上記第２の部分が上記キーボードの側方を外れて立ち上がることを特徴とする電子機器。
【請求項６】
請求項５に記載の電子機器において、
上記アンテナの張出部は、上記アンテナが上記第２の姿勢にあるとき上記表示ユニットの縁部に対向することを特徴とする電子機器。
【請求項７】
請求項６に記載の電子機器において、
上記筐体の上壁部には、上記キーボードが載置される載置部と上記載置部の周縁から起立する壁部とが形成され、上記アンテナは、そのアンテナが上記第１の姿勢にあるとき上記張出部の先端から上記壁部に沿って延びる爪部を有することを特徴とする電子機器。
【請求項８】
請求項６に記載の電子機器において、
上記表示ユニットは、上記筐体の上壁部を覆うように倒される閉じ位置と、上記筐体の上壁部を露出させるように起立する開き位置との間で回動可能であり、上記表示ユニットが上記閉じ位置にあるとき上記アンテナの張出部は上記筐体と上記表示ユニットとの間に挟まれて保持されることを特徴とする電子機器。
【請求項９】
上壁部と側壁部とを有する筐体と、
上記筐体の端部に支持される表示ユニットと、
上記筐体の上壁部に載置されるキーボードと、
上記筐体の側壁部に支持されるとともに、上記側壁部に対向する第１の姿勢と上記上壁部に対して起立する第２の姿勢との間で回動可能なアンテナであって、上記側壁部に回動可能に支持される支持部と、上記第２の姿勢にあるとき上記支持部から上記表示ユニット寄りにオフセットして延びる本体部とを有するアンテナと、
を具備することを特徴とする電子機器。
【請求項１０】
請求項９に記載の電子機器において、
上記アンテナの支持部は上記キーボードの側方に位置し、上記アンテナの本体部は上記キーボードの側方を外れる位置までオフセットすることを特徴とする電子機器。
【請求項１１】
請求項１０に記載の電子機器において、
上記アンテナの本体部に設けられ、上記アンテナが上記第２の姿勢にあるとき上記表示ユニットの縁部に対向する張出部を備えることを特徴とする電子機器。
【請求項１２】
請求項１１に記載の電子機器において、
上記筐体の側壁部に設けられるとともに、外部部品が挿抜される接続部を備え、
上記アンテナが上記第１の姿勢にあるとき、上記アンテナの本体部は上記支持部から上記側壁部の縁部寄りにオフセットして延びることを特徴とする電子機器。
【請求項１３】
請求項１１または請求項１２に記載の電子機器において、
上記アンテナの張出部は、上記アンテナが上記第１の姿勢にあるとき上記筐体の上壁部に当接することを特徴とする電子機器。
【請求項１４】
請求項１３に記載の電子機器において、
上記アンテナの張出部は、上記アンテナが上記第１の姿勢にあるとき上記本体部の上端部となる部位から張り出していることを特徴とする電子機器。
【請求項１５】
請求項１４に記載の電子機器において、
上記アンテナの張出部は、上記本体部の厚さより大きく張り出していることを特徴とする電子機器。
【請求項１６】
請求項１５に記載の電子機器において、
上記筐体の上壁部には、上記キーボードが載置される載置部と上記載置部の周縁から起立する壁部とが形成され、上記アンテナは、そのアンテナが上記第１の姿勢にあるとき上記張出部の先端から上記壁部に沿って延びる爪部を有することを特徴とする電子機器。
【請求項１７】
請求項１６に記載の電子機器において、
上記表示ユニットは、上記筐体の上壁部を覆うように倒される閉じ位置と、上記筐体の上壁部を露出させるように起立する開き位置との間で回動可能であり、上記表示ユニットが上記閉じ位置にあるとき上記アンテナの張出部は上記筐体と上記表示ユニットとの間に挟まれて保持されることを特徴とする電子機器。
【発明の詳細な説明】
【技術分野】
【０００１】
本発明は、筐体に回動可能に支持されたアンテナを備える電子機器に係り、特にアンテナの構造に関する。
【背景技術】
【０００２】
例えばポータブルコンピュータのような電子機器は、無線ＬＡＮ用や携帯端末用のアンテナを備えることが多くなっている。このようなアンテナは電子機器の表示ユニット内に収容されていることが多い。
【０００３】
例えば筐体の外部にアンテナを備えた情報処理装置が提供されている（例えば、特許文献１参照）。特許文献１に記載の情報処理装置は、本体部の側面に着脱自在に取り付けられたアンテナ装置を備える。アンテナ装置のアンテナ部は、不使用時には情報処理装置の本体部の側面に沿った方向に倒され、使用時に本体部の側面に沿った方向に対して略直角な方向に立てられる。
【０００４】
さらに、表示ユニットを支持するヒンジ部にアンテナを実装した電子機器が提供されている。このアンテナは、電子機器のヒンジ部に回動可能に支持され、本体部の側面に沿う姿勢と、本体部の上方を向いて起立する姿勢との間で回動する。
【特許文献１】特開２００１−６７１３９号公報
【発明の開示】
【発明が解決しようとする課題】
【０００５】
近年、電子機器はさらに小型化が望まれている。電子機器の小型化を進める上で、表示ユニット内の実装スペースの問題からアンテナを表示ユニットの外部に実装することが考えられる。
【０００６】
ここで、特許文献１に記載のアンテナ装置は筐体の側壁部に取り付けられる。しかし特許文献１に記載のようなアンテナ装置が筐体の側壁部に取り付けられると、この側壁部に設けられるコネクタやスロット類の実装面積が制限される。したがってこの情報処理装置は小型化に適したものではない。また、上述したアンテナをヒンジ部に実装する電子機器では、ヒンジ部回りの構造が複雑になる。これは電子機器の小型化を図る上で好ましくない。
【０００７】
本発明の目的は、使いさすさを維持しつつ小型化を図った電子機器を得ることにある。
【課題を解決するための手段】
【０００８】
上記目的を達成するため、本発明の一つの形態に係る電子機器は、上壁部と側壁部とを有する筐体と、筐体の側壁部に設けられる機能部と、筐体の側壁部に支持されるとともに側壁部に対向する第１の姿勢と上壁部に対して起立する第２の姿勢との間で回動可能なアンテナとを具備する。アンテナは、側壁部に回動可能に支持される支持部と、第１の姿勢にあるとき、支持部から側壁部の縁部を向いて延びる第１の部分と、第１の部分の端部から機能部と側壁部の縁部との間の領域に沿って延びる第２の部分とを有する。
【発明の効果】
【０００９】
この構成によれば、アンテナが邪魔になりにくいため、使いやすさを維持しつつ電子機器の小型化を図ることができる。
【発明を実施するための最良の形態】
【００１０】
以下に本発明の実施の形態を、ポータブルコンピュータに適用した図面に基づいて説明する。  
図１ないし図１３は、本発明の第１の実施形態に係る電子機器としてのポータブルコンピュータ１を開示している。図１に示すように、ポータブルコンピュータ１は、本体２と表示ユニット３とを備えている。
【００１１】
本体２は、筐体ベース４と筐体カバー５とを有する。筐体カバー５は、筐体ベース４に上方から組み合わされる。筐体ベース４と筐体カバー５とが協働することで、本体２は箱状に形成された筐体６を備える。筐体６は、上壁部１１、周壁部１２、および下壁部１３（図３参照）を有する。周壁部１２は、上壁部１１の前縁から延びる前側壁部１２ａ、上壁部１１の右縁から延びる右側壁部１２ｂ、上壁部１１の左縁から延びる左側壁部１２ｃ、および上壁部１１の後縁から延びる後側壁部（図示しない）を有する。
【００１２】
筐体６の上壁部１１は、キーボード載置部１１ａと、キーボード載置部１１ａの周囲に形成されたフレーム部１１ｂとを有する。フレーム部１１ｂは、上壁部１１の上面を形成している。図６に示すように、キーボード載置部１１ａはフレーム部１１ｂに比べて筐体の内側に一段下がって形成されている。
【００１３】
キーボード載置部１１ａの周縁からは起立壁部１１ｃが上方を向いて起立している。起立壁部１１ｃは、キーボード載置部１１ａの縁部をフレーム部１１ｂの縁部に繋げている。なお図６には筐体６の右端部のみを図示したが、筐体６の左端部についても同様である。キーボード載置部１１ａには、キーボード１５が載置される。キーボード１５は、キーボード載置部１１ａにより下方から支持される。
【００１４】
図４に示すように、筐体６の右側壁部１２ｂには後端部側から順に、ＵＳＢコネクタ２１、モデムコネクタ２２、および排気孔２３が並んで設けられている。一方、図１０に示すように、筐体６の左側壁部１２ｃには後端部側から順に、電源コネクタ２４、ＵＳＢコネクタ２５，２６、ＬＡＮコネクタ２７、およびＲＧＢコネクタ２８が並んで設けられている。
【００１５】
ここでＵＳＢコネクタ２１，２５，２６、モデムコネクタ２２、電源コネクタ２４、ＬＡＮコネクタ２７、およびＲＧＢコネクタ２８は、それぞれ外部部品が挿抜される接続部の一例であり、かつ、本発明でいう機能部の一例である。排気孔２３は、機能部の一例である。なお上記機能部の種類はこれらに限定されるものでなく、例えばＰＣカードスロット、ＳＤカードスロット、ディスクドライブ、リモコン受光部、種々の入出力端子、ボリューム調整器、スイッチなどを含む種々の部品または構造を採用することができる。
【００１６】
図４および図１０に示すように、ＵＳＢコネクタ２１，２５，２６には、例えばＵＳＢメモリ３１やＵＳＢケーブル３２が挿抜される。モデムコネクタ２２には、モデムケーブル３３が挿抜される。電源コネクタ２４には、電源ケーブル３４が挿抜される。ＬＡＮコネクタ２７には、ＬＡＮケーブル３５が挿抜される。ＲＧＢコネクタ２８には、ＲＧＢケーブル３６が挿抜される。これらのＵＳＢメモリ３１、ＵＳＢケーブル３２、モデムケーブル３３、電源ケーブル３４、ＬＡＮケーブル３５、およびＲＧＢケーブル３６はそれぞれ外部部品の一例である。
【００１７】
図１に示すように、筐体６は内部に冷却ファン３７を備える。冷却ファン３７は、筐体６内の空気を吸い込むとともに、吸い込んだ空気を排気孔２３を向けて吐き出す。冷却ファン３７に吐き出された空気は、排気孔２３を通じて筐体６の外部に排出される。
【００１８】
表示ユニット３は、ディスプレイハウジング４１と、このディスプレイハウジング４１に収容された液晶表示パネル４２とを備えている。液晶表示パネル４２は、表示画面４２ａを有している。表示画面４２ａは、ディスプレイハウジング４１の前面の開口部４１ａを通じてディスプレイハウジング４１の外部に露出されている。
【００１９】
表示ユニット３は、筐体６の後端部に一対のヒンジ部４３ａ，４３ｂを介して支持されている。そのため、表示ユニット３は、上壁部１１を覆うように倒される閉じ位置（図１１参照）と、上壁部１１を露出させるように起立する開き位置（図１参照）との間で回動可能である。
【００２０】
ここでヒンジ部４３ａ，４３ｂについて詳しく説明する。ヒンジ部４３ａ，４３ｂの一例は、いわゆるＬ字型ヒンジである。すなわちディスプレイハウジング４１の下端部には、一対の脚部４４ａ，４４ｂが設けられている。脚部４４ａ，４４ｂは、表示ユニット３の左右幅方向の両端部に互いに分かれて配置されるとともに、それぞれディスプレイハウジング４１の前面から表示ユニット３の厚さ方向に沿って突出している。
【００２１】
本体２の筐体６は、一対の切欠部４５ａ，４５ｂを有する。一つの切欠部４５ａは、筐体６の右後端部に形成される。他方の切欠部４５ｂは、筐体６の左後端部に形成される。表示ユニット３の脚部４４ａ，４４ｂは、この切欠部４５ａ，４５ｂよって切り欠かれた領域に配置される。例えばヒンジ部４３ａは、ヒンジ軸を含むヒンジ装置４６ａを有する。ヒンジ装置４６ａは、表示ユニット３の脚部４４ａと筐体６との間に亘って設けられ、表示ユニット３を筐体６に回動可能に連結する。同様にヒンジ部４３ｂは、ヒンジ軸を含むヒンジ装置４６ｂを有する。ヒンジ装置４６ｂは、表示ユニット３の脚部４４ｂと筐体６との間に亘って設けられ、表示ユニット３を筐体６に回動可能に連結する。
【００２２】
図１に示すように、筐体６の周壁部１２には、一対の左右アンテナ５１，５２が取り付けられる。具体的には、右アンテナ５１は、筐体６の右側壁部１２ｂに回動可能に支持されている。左アンテナ５２は、筐体６の左側壁部１２ｃに回動可能に支持されている。一対のアンテナ５１，５２は、互いに協働してダイバーシティ機能を発揮する。
【００２３】
なおアンテナ５１，５２は、必ず複数必要であるわけではなく、どちらか一つだけでも良い。アンテナ５１，５２の例としては、３Ｇアンテナ、ワイヤレスＬＡＮ用アンテナ、またはブルートゥース用のアンテナなどが挙げられる。ただしアンテナ５１，５２の種類はこれらに限らない。
【００２４】
ここで図２ないし図９を参照して右アンテナ５１について詳しく説明する。なお左アンテナ５２については、右アンテナ５１と構造が左右異なるだけで機能は同じなので、同じ機能を有する構成に同一の符号を付してその詳しい説明を省略する。
【００２５】
図２に示すように、右アンテナ５１（以下、単にアンテナ５１）は、筐体６の右側壁部１２ｂに対向する第１の姿勢と、上壁部１１に対して起立し右側壁部１２ｂを外れて延びる第２の姿勢との間で回動可能である。なお本明細書でいうアンテナとは、受信部材と、それを収容する外装部材とを含むアンテナ装置を指す。アンテナ５１は、その内部に例えば線状の受信部材６０を有する。
【００２６】
アンテナ５１は、支持部６１、第１の部分６２、および第２の部分６３を有する。なお第２の部分６３は、本発明でいうアンテナ本体部の一例である。図３に示すように、支持部６１は、アンテナ５１の一端部に設けられるとともに、筐体６内部を向いて突出している。支持部６１は、段差を有する円柱状に形成されるとともに、その先端に例えば金属製の接続端子６５を有する。アンテナ５１の支持部６１は、弾性体リング６６に挿通されている。弾性体リング６６の一例は、ゴム部材である。
【００２７】
筐体６の右側壁部１２ｂには、アンテナ５１が取り付けられる取付孔６７が形成されている。図５に示すように、取付孔６７は、右側壁部１２ｂのなかで切欠部４５ａのすぐ隣りの領域に設けられている。図３に示すように、取付孔６７にはアンテナ５１の支持部６１が挿入される。取付孔６７に挿入されたアンテナ５１の支持部６１は、取付孔６７に対して回動自在である。取付孔６７の内周面とアンテナ５１の支持部６１との間には弾性体リング６６が介在する。アンテナ５１の支持部６１は弾性体リング６６の摩擦抵抗により取付孔６７から抜け落ちないようになっている。
【００２８】
筐体６の内部には、アンテナ５１の接続端子６５に対向して回路基板６８が設けられている。回路基板６８には例えば金属製の板ばね６９が半田付けされている。板ばね６９は、回路基板６８とアンテナ５１の接続端子６５との間に介在され、両者を互いに電気的に接続する。回路基板６８には、コネクタ７０が実装されている。回路基板６８は、コネクタ７０に接続された同軸ケーブル７１を介して図示しないメイン回路基板に電気的に接続されている。
【００２９】
図４ないし図６は、第１の姿勢にあるアンテナ５１を示す。アンテナ５１の支持部６１は、キーボード１５の側方に位置している。アンテナ５１の第１の部分６２は、支持部６１から右側壁部１２ｂの上縁部を向いて延びている。換言すれば、第１の部分６２は、支持部６１からＵＳＢコネクタ２１およびモデムコネクタ２２を向く方向に対して交差する方向に沿って延びている。第１の部分６２の先端は、右側壁部１２ｂの上縁部に対向する。第１の部分６２の先端からは第２の部分６３が本体２の前方を向いて延びている。
【００３０】
第２の部分６３は、第１の部分６２の延伸方向に対して交差する方向に沿って延びている。第２の部分６３は、右側壁部１２ｂの上縁部に沿って延びている。さらに言えば、第２の部分６３は、ＵＳＢコネクタ２１、モデムコネクタ２２、または排気孔２３と右側壁部１２ｂの上縁との間の領域に沿って延びている。
【００３１】
換言すれば、第２の部分６３は、支持部６１から右側壁部１２ｂの上縁部寄りにオフセットして延びている。すなわち第２の部分６３は、支持部６１の軸心を通過する例えば水平線との間に間隔を空けて延びている。以上をさらに換言すれば、アンテナ５１は、ＵＳＢコネクタ２１、モデムコネクタ２２および排気孔２３に重ならないように折れ曲っているといえる。
【００３２】
図５に示すように、第２の部分６３の先端部には、張出部７４が設けられている。張出部７４は、第２の部分６３の筐体側の側面から張り出している。張出部７４は、筐体６の上壁部１１に対向する。アンテナ５１が第１の姿勢にあるとき、図６に示すように張出部７４は上壁部１１のフレーム部１１ｂに当接する。換言すれば、張出部７４が上壁部１１に当接することで、アンテナ５１が第１の姿勢で静止する。
【００３３】
図６に示すように、張出部７４は、第２の部分６３の厚さより大きく張り出している。張出部７４の長さＡの一例は５．０ｍｍであり、第２の部分６３の厚さＢの一例は３．０ｍｍである。張出部７４は、アンテナ５１が第１の姿勢にあるときに第２の部分６３のなかで上端部となる部位から張り出している。
【００３４】
図７ないし図９は、第２の姿勢にあるアンテナ５１を示す。アンテナ５１の第１の部分６２は、支持部６１から表示ユニット３を向いて延びている。換言すれば、第１の部分６２は、支持部６１からキーボード１５の側方を外れる領域を向いて延びている。第１の部分６２の先端は、キーボード１５の側方を外れた領域に達している。第１の部分６２の先端からは第２の部分６３が本体２の上方を向いて延びている。
【００３５】
第２の部分６３は、筐体６の上壁部１１に対して起立する方向に沿って延びている。図９に示すように、第２の部分６３は、キーボード１５の側方を外れて立ち上がっている。換言すれば、第２の部分６３は、支持部６１から表示ユニット３寄りにオフセットして延びている。すなわち第２の部分６３は、支持部６１の軸心を通過する例えば鉛直線との間に間隔を空けて延びている。以上をさらに換言すれば、アンテナ５１は、キーボード１５に比べて上方に位置する部分がキーボード１５の側方を外れるように折れ曲っているといえる。図８に示すように、アンテナ５１が第２の姿勢にあるとき、アンテナ５１の張出部７４は表示ユニット３の右縁部に対向する。
【００３６】
次に、図１０を参照して左アンテナ５２について説明する。左アンテナ５２も同様に、筐体６の左側壁部１２ｃに対向する第１の姿勢と、上壁部１１に対して起立する第２の姿勢との間で回動可能である。左アンテナは、支持部６１、第１の部分６２、および第２の部分６３を有する。
【００３７】
左アンテナ５２が第１の姿勢にあるとき、左アンテナ５２の第１の部分６２は、支持部６１から左側壁部１２ｃの上縁部を向いて延びている。左アンテナ５２の第２の部分６３は、電源コネクタ２４、ＵＳＢコネクタ２５，２６、またはＬＡＮコネクタ２７と左側壁部１２ｃの上縁との間の領域に沿って延びている。図９は、第２の姿勢にある左アンテナ５２を示す。左アンテナ５２が第２の姿勢にあるとき、その第２の部分６３は、キーボード１５の側方を外れて立ち上がっている。
【００３８】
アンテナ５１，５２の外装部材は、例えば弾性を有する部材で形成される。アンテナ５１，５２の外装部材の一例は、ゴム部材である。アンテナ５１，５２が弾性を有すると、ユーザーが誤ってアンテナ５１，５２に触れたときアンテナ５１，５２が弾性変形する。すなわち、ユーザーからの外力が直接支持部６１に加わることが無く、支持部６１回りが破損することが抑制される。
【００３９】
次に、ポータブルコンピュータ１の作用について説明する。  
ポータブルコンピュータ１の使用時には、表示ユニット３は、筐体６に対して開き位置まで立て起こされる。これによりキーボード１５および表示画面４２ａが外部に露出する。ユーザーはキーボード１５を操作することで情報をポータブルコンピュータ１に入力することができる。
【００４０】
左右アンテナ５１，５２は、不使用時には第１の姿勢に畳まれている。また第１の姿勢で十分な受信感度が得られる環境であれば、アンテナ５１，５２は第１の姿勢において使用されても良い。図４に示すように、第１の姿勢にある右アンテナ５１は、ＵＳＢコネクタ２１、モデムコネクタ２２および排気孔２３を覆わない。
【００４１】
したがってユーザーは、右アンテナ５１を畳んだ状態においても右アンテナ５１に邪魔されることなく、外部部品３１，３３をコネクタ２１，２２に挿抜することができる。換言すれば、ＵＳＢメモリ３１やモデムケーブル３３のような外部部品を接続したままアンテナ５１を収容することができる。さらに右アンテナ５１を畳んだ状態でも排気孔２３の機能が減殺されず、冷却ファン３７は排気孔２３を通じて空気を筐体６の外部に排出することができる。
【００４２】
図１０に示すように、第１の姿勢にある左アンテナ５２は、電源コネクタ２４、ＵＳＢコネクタ２５，２６、ＬＡＮコネクタ２７およびＲＧＢコネクタ２８を覆わない。したがってユーザーは、左アンテナ５２を畳んだ状態においても左アンテナ５２に邪魔されることなく、外部部品３２，３４，３５，３６を上記コネクタ２４，２５，２６，２７，２８に挿抜することができる。
【００４３】
左右アンテナ５１，５２は、使用時には第２の姿勢まで立ち起こされる。アンテナ５１，５２を立ち起こすとアンテナ５１，５２の第２の部分６３が支持部６１に対して偏心して表示ユニット３側にずれる。これにより図９に示すように、第２の姿勢にある左右アンテナ５１，５２の第２の部分は、キーボード１５の側方より後端部側にずれて位置する。したがってユーザーは、アンテナ５１，５２に邪魔されることなくキーボード１５を使用することができる。
【００４４】
図１１に示すように、ポータブルコンピュータ１の不使用時には、表示ユニット３は、筐体６の上壁部１１を覆う閉じ位置に折り畳まれる。図１２に示すように、表示ユニット３が折り畳まれると左右アンテナ５１，５２の張出部７４が筐体６と表示ユニット３との間に挟まれて、左右アンテナ５１，５２が保持される。
【００４５】
このような構成のポータブルコンピュータ１によれば、使いやすさを維持しつつ小型化を図ることができる。すなわち、左右アンテナ５１，５２は畳まれた第１の姿勢でもコネクタ２２〜２８を覆わない。したがってアンテナ５１，５２を畳んだままコネクタ２２〜２８を使用することができる。これにより、例え筐体６の外部にアンテナ５１，５２が実装されてもポータブルコンピュータ１の使いやすさは低下しない。
【００４６】
換言すれば、アンテナ５１，５２を採用することで筐体６の側壁部１１ｂ，１１ｃにコネクタ類の実装面積を大きく確保することができる。これはポータブルコンピュータ１の小型化に寄与する。さらに言えば、本実施形態に係るアンテナ５１，５２によれば、例えアンテナ５１，５２の支持部６１をＵＳＢコネクタ２１や電源コネクタ２４などと水平方向に並んだ領域に実装したとしてもアンテナ５１，５２がコネクタ２１〜２８を覆わない。すなわち筐体６の厚さを薄くすることができる。これはポータブルコンピュータ１の小型化に寄与する。
【００４７】
例えば特許文献１に記載のアンテナ部は、使用時にキーボードの側方に起立するため、アンテナの近傍に位置するキーボードのキーの操作性を阻害するおそれがある。さらに例えば情報処理装置の横に置かれている物を取ろうキーボードから手を動かすときに、ユーザーはアンテナを迂回するようにその手を動かす必要がある。
【００４８】
しかし本実施形態に係るポータブルコンピュータ１によれば、左右アンテナ５１，５２は、キーボード１５の側方を外れ、表示ユニット３に近い領域において立ち上がっている。これにより、ユーザーは左右アンテナ５１，５２に邪魔されることなくキーボード１５を操作することができる。さらにポータブルコンピュータ１の横に置かれている物を取ろうとキーボードから手を動かすときに、ユーザーはアンテナ５１，５２を迂回する必要が無く、最短ルートでその手を動かすことができる。このように例え筐体６の外部にアンテナ５１，５２が実装されていてもポータブルコンピュータ１の使いやすさはほとんど低下しない。さらに、アンテナ５１，５２の第２の部分６３が表示ユニット３に近い領域で起立すると、アンテナ５１，５２が視覚的にも邪魔になりにくい。
【００４９】
次にポータブルコンピュータ１の小型化について説明する。  
例えばアンテナを表示ユニット３内に実装することなく筐体６の側壁部１１ｂ，１１ｃに実装可能であれば、ディスプレイハウジング４１内の実装スペースに余裕が生じる。したがって図１３に示すように液晶表示パネル４２の大きさに対するディスプレイハウジング４１の大きさを小さくすることができる。したがってポータブルコンピュータ１を小型化することができる。
【００５０】
ポータブルコンピュータ１がいわゆるＬ字形のヒンジ部４３ａ，４３ｂを有すると、図１３に示すようにディスプレイハウジング４１の大きさに対する筐体６のフットプリント（すなわち底面積）の大きさを小さくすることができる。これはポータブルコンピュータ１の小型化に寄与する。
【００５１】
ポータブルコンピュータ１がいわゆるＬ字形のヒンジ部４３ａ，４３ｂを有すると、筐体６の後端部にはそれを受ける切欠部４５ａ，４５ｂが形成される。筐体６の右後端部と左後端部に切欠部４５ａ，４５ｂが形成されると、左右アンテナ５１，５２がキーボード１５の側方または側方に近い領域に実装されることになる。
【００５２】
しかし上述したように、本実施形態に係る左右アンテナ５１，５２によれば、例えキーボード１５の側方に実装されたとしてもポータブルコンピュータ１の使いやすさをほとんど低下させない。したがって、本実施形態に係るポータブルコンピュータ１によれば、使いやすさを維持しつつ小型化を図ることができる。
【００５３】
アンテナ５１，５２が第１の姿勢にあるときに筐体６の上壁部１１に当接する張出部７４が設けられていると、アンテナ５１，５２が第１の姿勢より下方まで回動することを避けることができる。アンテナ５１，５２が第２の姿勢にあるときに張出部７４が表示ユニット３の縁部に対向すると、アンテナ５１，５２をさらに表示ユニット３側に回動させたとしても張出部７４が表示ユニット３の前面に当接する。すなわちアンテナ５１，５２が表示ユニット３より後方まで回動することを避けることができる。
【００５４】
すなわち支持部６１の回りに特別なストップ機構を設けることなく、アンテナ５１，５２を常に筐体６と表示ユニット３との間に保つことができる。アンテナ５１，５２の回動可能な範囲を筐体６と表示ユニット３との間に制限することで、アンテナ５１，５２がコネクタ２１〜２８に接続されたＵＳＢメモリ３１や電源ケーブル３４などに干渉する事態やポータブルコンピュータ１の背面側に倒れ込むような事態を避けることができる。
【００５５】
張出部７４が、アンテナ５１，５２が第１の姿勢にあるときに第２の部分６３の上端部となる部位から張り出していると、図６に示すようにアンテナ５１，５２の上端と筐体６の上端との高さがほとんど変わらない。したがって第１の姿勢にあるアンテナ５１，５２は、キーボード１５を操作するユーザーの邪魔になりにくい。
【００５６】
表示ユニット３が閉じ位置にある状態でアンテナ５１の張出部７４が筐体６と表示ユニット３との間で挟むことで、アンテナ５１，５２を筐体６と表示ユニット３との間で固定できる。このようにアンテナ５１，５２が筐体６に沿って確実に固定できると、例えばアンテナ５１，５２を取り付けたままカバン等に収容した場合でもアンテナ５１，５２の破損を防ぐことができる。
【００５７】
弾性を有するアンテナ５１，５２を採用した場合、張出部７４が小さいと張出部７４が筐体６と表示ユニット３との間から抜けてしまうおそれがある。例えば張出部７４を少なくとも第２の部分６３の厚さより大きく形成すれば、張出部７４が筐体６と表示ユニット３との間から抜けてしまうおそれが小さくなる。
【００５８】
次に、本発明の第２の実施形態に係る電子機器としてのポータブルコンピュータ８１を、図１４および図１５を参照して説明する。なお第１の実施形態に係るポータブルコンピュータ１と同じ機能を有する構成は、同一の符号を付してその説明を省略する。
【００５９】
ポータブルコンピュータ８１は、本体２と表示ユニット３とを有する。表示ユニット３は、ヒンジ部４３ａ，４３ｂにより本体筐体６の後端部に支持されている。筐体６には、一対の左右アンテナ５１，５２が回動可能に支持されている。
【００６０】
左右アンテナ５１，５２は、それぞれ支持部６１、第１の部分６２、および第２の部分６３を有する。左右アンテナ５１，５２の第２の部分６３には、張出部７４が設けられている。張出部７４は、第２の部分６３の側面からキーボード載置部１１ａと起立壁部１１ｃとの境界まで張り出している。図１４および図１５に示すように、本実施形態に係る左右アンテナ５１，５２は、張出部７４の先端から筐体６を向いて延びる爪部８２を有する。爪部８２は、キーボード載置部１１ａから起立する壁部１１ｃに沿って延びるとともに、壁部１１ｃに対向している。
【００６１】
このような構成のポータブルコンピュータ８１によれば、第１の実施形態に係るポータブルコンピュータ１と同様の理由で、使いやすさを維持しつつ小型化を図ることができる。さらに本実施形態のポータブルコンピュータ８１によれば、アンテナ５１，５２の破損をさらに抑制することができる。すなわち、弾性を有するアンテナ５１，５２は、張出部７４が筐体６と表示ユニット３との間に挟まれた状態であっても、外力が作用すると筐体６と表示ユニット３との間から抜けてしまうおそれがある。
【００６２】
本実施形態に係るアンテナ５１，５２によれば、例え張出部７４が筐体６の外側に抜けようとしても爪部８２が壁部１１ｃに引っ掛かるのでアンテナ５１，５２が筐体６から容易に外れない。したがってアンテナ５１，５２が筐体６から外れることに起因するアンテナ５１，５２の破損を抑制することができる。
【００６３】
以上、第１および第２の実施形態に係るポータブルコンピュータ１，８１について説明したが、本発明の実施形態はこれらに限らない。例えばアンテナ５１，５２の支持部６１は、キーボード１５の側方に無くても良い。キーボード１５の側方を外れた領域に実装されるアンテナについても、アンテナが第１の部分６２と第２の部分６３とを有するとアンテナがコネクタなどに覆い被さらない。これにより筐体６の側壁部１２ｂ，１２ｃにアンテナを実装してもポータブルコンピュータの使いやすさを維持することができる。
【００６４】
例えば張出部７４は必ずしも必要ではなく、張出部７４が無いアンテナであっても、ポータブルコンピュータ１，８１の使いやすさを維持しつつその小型化に寄与することができる。なお本発明の実施形態が適用可能な電子機器は、ポータブルコンピュータに限らない。
【図面の簡単な説明】
【００６５】
【図１】本発明の第１の実施形態に係るポータブルコンピュータの斜視図。
【図２】第１の実施形態に係るアンテナの斜視図。
【図３】図２中に示されたアンテナのＦ３−Ｆ３線に沿う断面図。
【図４】第１の実施形態に係るアンテナの畳んだ状態を示す右側面図。
【図５】第１の実施形態に係るアンテナの畳んだ状態を示す平面図。
【図６】図５中に示されたアンテナのＦ６−Ｆ６線に沿う断面図。
【図７】第１の実施形態に係るアンテナの起立させた状態を示す右側面図。
【図８】第１の実施形態に係るアンテナの起立させた状態を示す正面図。
【図９】図８中に示されたアンテナのＦ９−Ｆ９線に沿う断面図。
【図１０】第１の実施形態に係るアンテナの畳んだ状態と起立させた状態を示す左側面図。
【図１１】第１の実施形態に係る表示ユニットの折り畳んだ状態を示す斜視図。
【図１２】第１の実施形態に係る表示ユニットを折り畳んだ状態のアンテナの斜視図。
【図１３】第１の実施形態に係るポータブルコンピュータの模式図。
【図１４】第２の実施形態に係るポータブルコンピュータを一部断面で示す斜視図。
【図１５】第２の実施形態に係るポータブルコンピュータの断面図。
【符号の説明】
【００６６】
１，８１…ポータブルコンピュータ、３…表示ユニット、６…筐体、１１…上壁部、１１ａ…キーボード載置部、１１ｂ…フレーム部、１１ｃ…起立壁部、１２ｂ…右側壁部、１２ｃ…左側壁部、１５…キーボード、２１〜２８…コネクタ、３１〜３６…外部部品、５１，５２…アンテナ、６１…支持部、６２…第１の部分、６３…第２の部分、７４…張出部、８２…爪部。
【図１】
2008027098.tif 000003
【図２】
2008027098.tif 000004
【図３】
2008027098.tif 000005
【図４】
2008027098.tif 000006
【図５】
2008027098.tif 000007
【図６】
2008027098.tif 000008
【図７】
2008027098.tif 000009
【図８】
2008027098.tif 000010
【図９】
2008027098.tif 000011
【図１０】
2008027098.tif 000012
【図１１】
2008027098.tif 000013
【図１２】
2008027098.tif 000014
【図１３】
2008027098.tif 000015
【図１４】
2008027098.tif 000016
【図１５】
2008027098.tif 000017